(57)【要約】  複数の実施形態が、複数のシステム、方法、およびコンピュータ可読媒体に関する。これらは、複数のミリメートル波対応スモールセル（ＭＣＳＣ）デバイスが、ユニバーサル移動体通信システム地上波無線アクセスノードＢ（ｅＮＢ）からのユーザ機器のハンドオーバを受信することを可能にさせる。特に、ｅＮＢに対するブースタとして動作しているＭＣＳＣとのユーザ機器（ＵＥ）の関連付けについて、複数のシステムおよび方法が説明される。これは、ＵＥとＭＣＳＣとの間での好ましいセルセクタの識別および好ましいセルセクタ上の通信を含む。
2016540422.tif 000002
【特許請求の範囲】
【請求項１】
ユーザ機器（ＵＥ）であって、
第１の複数のセクタ内で複数のＵＥ同期信号を送信し、
ミリメートル波対応スモールセル（ＭＣＳＣ）から、第２の複数のセクタ内で複数のＭＣＳＣ同期信号を受信し、
測定要求に応答して、前記第２の複数のセクタのうちの少なくとも第１のセクタに対する信号品質を前記ＵＥにおいて測定し、
前記第１のセクタの第１の信号品質に基づいて前記第１のセクタを選択すべく、少なくとも前記第１のセクタに対する前記信号品質を分析し、
セル識別子および前記第１のセクタに関連付けられた第１セクタ識別子を、前記ＵＥから進化型ユニバーサル地上波無線アクセスノードＢ（ｅＮＢ）へ通信する回路を備えるＵＥ。
【請求項２】
前記回路はさらに、
前記第２の複数のセクタ内での前記複数のＭＣＳＣ同期信号の受信よりも前に前記測定要求を前記ｅＮＢから受信し、
前記複数のＭＣＳＣ同期信号から、前記ＭＣＳＣに関連付けられたセル識別子および前記第２の複数のセクタの各セクタに関連付けられたセクタ識別子を決定する、請求項１に記載のＵＥ。
【請求項３】
前記第２の複数のセクタのセクタごとの各ＭＣＳＣ同期信号は、２つの連続的シンボルを含むプライマリ同期信号（ＰＳＳ）および前記ＰＳＳに続くセカンダリ同期信号（ＳＳＳ）を含む、請求項２に記載のＵＥ。
【請求項４】
前記第２の複数のセクタの各セクタに対する前記信号品質は、前記第２の複数のセクタの各セクタに対する第１の前記同期信号の受信信号強度表示（ＲＳＳＩ）、基準信号受信電力（ＲＳＲＰ）、および基準信号受信品質（ＲＳＲＱ）値のうちの少なくとも１つに少なくとも部分的に基づいている、請求項３に記載のＵＥ。
【請求項５】
前記回路はさらに、
前記ｅＮＢへの前記セル識別子の通信に応答して、無線リソース制御（ＲＲＣ）接続再設定通信を前記ｅＮＢから受信する、請求項４に記載のＵＥ。
【請求項６】
前記ＲＲＣ接続再設定通信はモビリティ制御情報を含み、
前記ＲＲＣ接続再設定通信は、前記ｅＮＢと前記ＭＣＳＣとの間のハンドオーバ通信に応答して受信される、請求項５に記載のＵＥ。
【請求項７】
前記第１のセクタを選択すべく、前記第２の複数のセクタのうちの少なくとも前記第１のセクタに対する前記信号品質を分析する前記回路は、
前記第２の複数のセクタの各セクタに対する品質値を、前記ＲＳＳＩ、前記ＲＳＲＰ、および前記ＲＳＲＱの関数として決定し、
前記第２の複数のセクタの各セクタに対する前記品質値から最高品質値を決定し、
前記最高品質値に関連付けられた一のセクタを前記第１のセクタとして選択する回路を有する、請求項５に記載のＵＥ。
【請求項８】
前記ＲＲＣ接続再設定は、前記第１のセクタの前記第１の信号品質に基づいて前記ｅＮＢによって成されるハンドオーバ決定に応答してさらに受信される、請求項７に記載のＵＥ。
【請求項９】
前記回路はさらに、物理ダウンリンク共有チャネル（ＰＤＳＣＨ）を介して、前記セル識別子、マスター情報ブロック（ＭＩＢ）、および一組の物理ランダムアクセスチャネル（ＰＲＡＣＨ）コードを前記ｅＮＢから受信する、請求項８に記載のＵＥ。
【請求項１０】
前記回路はさらに、
前記同期信号の再送を前記ＭＣＳＣから周期的に受信し、
前記ＵＥにより、前記ＰＳＳを使用してタイミング取得を実行する、請求項９に記載のＵＥ。
【請求項１１】
前記回路はさらに、
前記一組のＰＲＡＣＨコードのうちの一のＰＲＡＣＨコードを、前記ＵＥから前記ｅＮＢへ、前記第１の複数のセクタ内での前記ＵＥ同期信号の送信の一部として前記第１の複数のセクタのそれぞれに対して通信することにより、少なくとも部分的に逆方向トレーニングを実行する、請求項９に記載のＵＥ。
【請求項１２】
前記一組のＰＲＡＣＨコードは、セクタの数をランダムアクセスコードの基数に掛けた数と等しい数のＰＲＡＣＨコードを含む、請求項１１に記載のＵＥ。
【請求項１３】
前記一組のＰＲＡＣＨコードの各ＰＲＡＣＨコードは、ベースＰＲＡＣＨコードおよびセクタ識別情報を含む、請求項１１に記載のＵＥ。
【請求項１４】
前記回路はさらに、
前記逆方向トレーニングに応答して、セル無線ネットワーク一時識別子（Ｃ−ＲＮＴＩ）およびタイミングアドバンス（ＴＡ）コマンドを前記ＵＥにおいて受信する、請求項１１に記載のＵＥ。
【請求項１５】
前記セル識別子を前記ｅＮＢへ送信する１または複数のアンテナをさらに備える、請求項１から請求項１４のいずれか１項に記載のＵＥ。
【請求項１６】
進化型ノードＢ（ｅＮＢ）およびミリメートル波対応スモールセル（ＭＣＳＣ）とともに動作するユーザ機器（ＵＥ）により実行される方法であって、
前記ＵＥにおいて、前記ｅＮＢから測定要求を受信する段階と、
前記ＵＥにおいて、第１の複数のセクタの各セクタ内でＭＣＳＣ同期信号を前記ＭＣＳＣから受信する段階と、
前記ＵＥにより、前記ＭＣＳＣに関連付けられたセル識別子および各セクタに関連付けられたセクタ識別子を決定する段階と、
前記測定要求に応答して一のセクタを選択する段階と、
前記セル識別子および選択された前記一のセクタに関連付けられた第１セクタ識別子を、前記ＵＥから前記ｅＮＢへ通信する段階と、
を有する方法。
【請求項１７】
前記測定要求に応答して前記一のセクタを選択する段階は、
前記測定要求に応答して、前記第１の複数のセクタの各セクタに対する信号品質を前記ＵＥにおいて測定する段階と、
前記第１の複数のセクタの各セクタに対する前記信号品質を分析して、第１のセクタの第１の信号品質に基づいて前記第１のセクタを選択する段階と、
を含む、請求項１６に記載の方法。
【請求項１８】
各セクタに対する前記信号品質は、前記第１の複数のセクタの各セクタに対する第１の前記同期信号の受信信号強度表示（ＲＳＳＩ）、基準信号受信電力（ＲＳＲＰ）、および基準信号受信品質（ＲＳＲＱ）値の関数である、請求項１７に記載の方法。
【請求項１９】
前記ｅＮＢへの前記セル識別子の通信に応答して、無線リソース制御（ＲＲＣ）接続再設定通信を、前記ＵＥにおいて前記ｅＮＢから受信する段階と、
物理ダウンリンク共有チャネル（ＰＤＳＣＨ）を介して、前記セル識別子、マスター情報ブロック（ＭＩＢ）、および一組の物理ランダムアクセスチャネル（ＰＲＡＣＨ）コードを、前記ＵＥにおいて前記ｅＮＢから受信する段階と、
第２の複数のセクタの各セクタに対して前記一組のＰＲＡＣＨコードのうちの一のＰＲＡＣＨコードを前記ＵＥから前記ｅＮＢへ通信することにより、少なくとも部分的に逆方向トレーニングを実行する段階と、
をさらに有し、
前記一のＰＲＡＣＨコードは、ベースＰＲＡＣＨコード、逆方向トレーニングに対するセクタ情報、およびビームフォーミングトレーニング肯定応答に対するｅＮＢセクタ情報を含む、請求項１７に記載の方法。
【請求項２０】
前記ＭＣＳＣ同期信号は、５９．９ＧＨｚと６０．１ＧＨｚの間の通信周波数を有する前記ＭＣＳＣからのミリメートル波通信の一部としてとして受信される、請求項１７から請求項１９のいずれか１項に記載の方法。
【請求項２１】
複数の命令を含む非一時的コンピュータ可読媒体であって、前記複数の命令がプロセッサによって実行されると、ユーザ機器（ＵＥ）に対し、
進化型ノードＢ（ｅＮＢ）から測定要求を受信させ、
第２の複数のセクタ内でＭＣＳＣ同期信号をミリメートル波対応スモールセル（ＭＣＳＣ）から受信させ、
前記ＵＥにより、前記ＭＣＳＣに関連付けられたセル識別子および前記第２の複数のセクタの各セクタに関連付けられたセクタ識別子を決定させ、
前記測定要求に応答して、前記ＵＥにおいて、前記第２の複数のセクタの各セクタに対する信号品質を測定させ、
前記第２の複数のセクタの各セクタに対する前記信号品質を分析して、第１のセクタの第１の信号品質に基づいて前記第２の複数のセクタのうちから前記第１のセクタを選択させ、
セル識別子および前記第１のセクタに関連付けられた第１セクタ識別子を、前記ＵＥから進化型ユニバーサル地上波無線アクセスノードＢ（ｅＮＢ）へ通信させる、
コンピュータ可読媒体。
【請求項２２】
前記複数の命令は、前記ＵＥに対してさらに、
第１の複数のセクタ内でＵＥ同期信号を送信させ、
前記ｅＮＢへの前記セル識別子の通信に応答して、無線リソース制御（ＲＲＣ）接続再設定通信を前記ｅＮＢから受信させ、
物理ダウンリンク共有チャネル（ＰＤＳＣＨ）を介して、前記セル識別子、マスター情報ブロック（ＭＩＢ）、一組の物理ランダムアクセスチャネル（ＰＲＡＣＨ）コードを前記ｅＮＢから受信させる、請求項２１に記載の非一時的コンピュータ可読媒体。
【請求項２３】
前記複数の命令は、前記ＵＥに対してさらに、
前記ＭＣＳＣから前記ＭＣＳＣ同期信号の再送を周期的に受信させ、
前記ＵＥにより、前記ＭＣＳＣ同期信号のプライマリ同期信号（ＰＳＳ）を使用してタイミング取得を実行させ、
前記一組のＰＲＡＣＨコードのうちの一のＰＲＡＣＨコードを、前記ＵＥから前記ｅＮＢへ、前記第１の複数のセクタの各セクタ内で前記ＵＥ同期信号の送信の一部として通信することにより、少なくとも部分的に逆方向トレーニングを実行させ、
前記逆方向トレーニングに応答して、セル無線ネットワーク一時識別子（Ｃ−ＲＮＴＩ）およびタイミングアドバンス（ＴＡ）コマンドを受信させる、請求項２２に記載の非一時的コンピュータ可読媒体。
【発明の詳細な説明】
【技術分野】
【０００１】
［優先権の主張］
本出願は、２０１３年１２月１２日に出願された米国特許仮出願第６１／９１５，０３５号からの優先権の利益を主張する。その開示内容全体は、参照により本明細書に組み込まれる。
【０００２】
複数の実施形態が、複数のミリメートル波対応スモールセル（millimeter wave capable small cell：ＭＣＳＣ）デバイスと関連した複数のシステム、方法、およびコンポーネントデバイスに関する。特に、ユニバーサル移動体通信システム地上波無線アクセスノードＢ（ｅＮＢ）に対するブースタとして動作しているＭＣＳＣに関連付くユーザ機器（ＵＥ）についての複数のシステムおよび方法が説明される。
【背景技術】
【０００３】
複数のスモールセルは、無線通信ネットワークの一部として動作し得る複数の低出力無線アクセスノードであり、１０ｍから１ｋｍ程度であり得るスモールセル動作範囲を有する。複数のスモールセルは、複数のマクロセルと比較されるであろう。複数のマクロセルは、１０ｋｍより大きく、１０−５０ｋｍの範囲を有し得る。ＭＣＳＣは、３０ギガヘルツから３００ギガヘルツの間の周波数の複数の波を含む複数のミリメートル電磁波を通信用に使用する、複数のスモールセルである。
【図面の簡単な説明】
【０００４】
【図１】いくつかの実施形態に従った、ＭＣＳＣおよびｅＮＢを含むネットワークのブロック図を示す。
【０００５】
【図２】いくつかの実施形態に従った、ＭＣＳＣとのセル関連付けおよびビームフォーミングトレーニングのための方法を示す。
【０００６】
【図３】いくつかの実施形態に従った、ＭＣＳＣとのセル関連付けおよびビームフォーミングトレーニングのための別の方法を示す。
【０００７】
【図４Ａ】いくつかの実施形態に従った、第１の複数のセクタ内での複数のＭＣＳＣ同期信号の通信を示す。
【０００８】
【図４Ｂ】いくつかの実施形態に従った、第２の複数のセクタ内での複数のランダムアクセスコードの通信を示す。
【０００９】
【図５】いくつかの実施形態に従った、同期信号の１つの実装を示す。
【００１０】
【図６Ａ】いくつかの実施形態に従った、ランダムアクセスコードの１つの実装を示す。
【００１１】
【図６Ｂ】いくつかの実施形態に従った、ランダムアクセスコードの別の実装を示す。
【００１２】
【図６Ｃ】いくつかの実施形態に従った、ランダムアクセスコードの別の実装を示す。
【００１３】
【図７】いくつかの実施形態に従った、ＭＣＳＣとのセル関連付けおよびビームフォーミングトレーニングのために使用され得るユーザ機器（ＵＥ）の例を示す。
【００１４】
【図８】いくつかの実施形態に従った、本明細書に説明される複数の手順のうちの任意の１または複数が実行され得る例示的なコンピュータシステム機械を示すブロック図である。
【発明を実施するための形態】
【００１５】
複数の実施形態は、複数のミリメートル波対応スモールセル（ＭＣＳＣ）デバイスまたはその他複数のスモールセルデバイスが、ユニバーサル移動体通信システム地上波無線アクセスノードＢ（ｅＮＢ）からユーザ機器のハンドオーバを受信することを可能にさせるための複数のシステム、方法、およびコンピュータ可読媒体に関する。特に、ｅＮＢに対するブースタとして動作しているＭＣＳＣとのユーザ機器（ＵＥ）の関連付けについて、複数のシステムおよび方法が説明される。これは、ＵＥとＭＣＳＣとの間での好ましいセルセクタの識別および好ましいセルセクタ上の通信を含む。当業者が複数の具体的な実施形態を実施できるように、以下の説明および複数の図面がそれらの実施形態を示す。その他複数の実施形態が、構造的、論理的、電気的、処理上の、およびその他の変更を組み込むことができる。いくつかの実施形態の複数の部分および複数の特徴が、その他複数の実施形態におけるそれら複数の部分および複数の特徴に含まれ得る。またはそれらに代わって置換され得る。複数の請求項に記載される複数の実施形態が、それらの請求項の利用可能な全ての均等物を包含する。
【００１６】
様々な実装例において、ＭＣＳＣは、アンカー−ブースタアーキテクチャにおけるブースタセルとして働くことができる。ここで、ｅＮＢに対するブースタセルとして動作しているＭＣＳＣは、ｅＮＢによって管理されているＵＥに対するトラフィックの一部を軽減する。ブースタセルとしてのＭＣＳＣの動作は、ｅＮＢによってカバーされるエリアのサブセットであるＭＣＳＣセルエリア内でのユーザトラフィックの非常に効率的な配信をサポートし、高い通信レート期間にわたる、またはｅＮＢのカバレッジの密集したエリアにおける、ＵＥに対する信号品質の保証を可能にするであろう。そのようなブースタ動作は、複数の通信レイヤ間での緩和した干渉に起因して、ｅＮＢ周波数帯域とは異なる周波数帯域にブースタＭＣＳＣが配置され得る場合に、複数の際立った利益を提供するであろう。従って、複数のミリメートル波周波数において動作するブースタとして作用するＭＣＳＣは、ｅＮＢのカバレッジエリア内にて動作しているＵＥが複数のミリメートル波周波数をサポートする場合に、特定の複数のｅＮＢシステムに対するモジュールの改善であり得る。代替的に、バックホール通信リンクがＭＣＳＣにとって直接利用可能である場合、ＭＣＳＣは、ブースタとしてよりもむしろ二次キャリアとして作用することができる。そのような実装の両者において、ＭＣＳＣは、ＵＥが移動する際にＵＥの複数の通信を管理するための複数のハンドオーバ処理の一部となるであろう。
【００１７】
本明細書に説明される複数の実施形態が、セクタに基づいた複数の信号品質測定、ｅＮＢからのハンドオーバの一部としてのＵＥとＭＣＳＣとの間の関連付け、および粗いビームフォーミングトレーニングに関連する。さらに、複数の実施形態が、ｅＮＢとＭＣＳＣとの間のＵＥのハンドオーバにカスタマイズされた、ＰＳＳ／ＳＳＳおよびＰＲＡＣＨシーケンスの高いレベルの設計をさらに含む。
【００１８】
図１は、いくつかの実施形態に従った無線ネットワーク１００を示す。無線ネットワーク１００は、ユーザ機器（ＵＥ）１１０、１１５および１２０を含む。ＵＥ１１０、１１５および１２０は、例えば、複数のラップトップコンピュータ、スマートフォン、タブレットコンピュータ、プリンタ、スマートメータのようなマシンタイプのデバイス、もしくは、ユーザインタフェースを有するまたは有さない任意の他の無線デバイスであってよい。一例においてＵＥ１１０、１１５および１２０は、ミリメートル波対応スモールセル１２５を通じて、または、ユニバーサル移動体通信システム地上波無線アクセスノードＢ（ｅＮＢ）を通じて、または両者を通じて、無線ネットワーク１３５へ無線接続する。無線ネットワーク１３５は、いくつかのネットワークの相互接続を表してよい。例えば、無線ネットワーク１３５は、インターネットまたはイントラネットのような広域ネットワークにつながってよい。
【００１９】
ＭＣＳＣ１２５は、サービスエリア１４０内での通信サポートを提供する。サービスエリア１４０は、少なくとも部分的に、ｅＮＢ１３０により提供されるｅＮＢサービスエリア内にある。サービスエリア１４０およびｅＮＢ１３０に関連付けられたｅＮＢサービスエリアは、それぞれの対応するサービスエリア用にＭＣＳＣ１２５およびｅＮＢ１３０と統合された複数のアンテナによって、それぞれサポートされる。複数のサービスエリアは、複数の特定のアンテナに関連付けられたいくつかのセクタに分割されよう。そのような複数のセクタは、固定された複数のアンテナと物理的に関連付けられてよい。あるいは、複数の調整可能なアンテナ、もしくは特定のセクタへと信号を向けるべく使用されるビームフォーミング処理において調節可能な複数のアンテナ設定を伴う、ある物理エリアに対して割り当てられてよい。ｅＮＢ１３０の一実施形態は、例えば３つのセクタを含み、そのそれぞれが、各セクタに向けられた複数のアンテナのアレイによって１２０度のエリアをカバーし、ｅＮＢ１３０の周りに３６０度のカバレッジを提供する。
【００２０】
複数のミリメートル波信号を使用するＭＣＳＣ１２５は、指向性の高いアンテナを使用してよい。従って、いくつかの異なるアンテナを使用してよく、そのそれぞれが、ＭＣＳＣの位置から、指向性を持った１つの小さな弧をカバーする。そのような複数の弧へと向けられた複数の信号が重なり合って、許容可能な品質レベルを１つのサービスエリアにわたって提供してよい。サービスエリア１４０は１つの円として示されているものの、いくつかの実施形態においてＭＣＳＣ１２５は、サービスエリア１４０内の複数のセクタが、ＭＣＳＣ１２５の位置の周りの３６０度のエリアをカバーし得ないように構築されてよい。従ってＭＣＳＣ１２５は、複数のミリメートル波通信を使用して、複数のＵＥデバイスとの指向性を持った無線リンクをサポートするように構成されてよい。いくつかの実施形態においてＭＣＳＣ１２５は、ミリメートル波チャネルを使用して、ＵＥ１１５のようなＵＥへと送信してよく、異なるチャネル上でＵＥ１１５から戻る複数の通信を受信してよい。リターンチャネルは、同一のミリメートル波チャネルまたは異なるミリメートル波チャネルであってよい。もしくは、全方向性通信またはミリメートル波チャネルを使用しないその他の通信であってよい。いくつかの実施形態においては、複数の物理ブロッキング構造が、サービスエリア１４０またはｅＮＢサービスエリア中に複数のギャップを作成してよく、ｅＮＢサービスエリア、サービスエリア１４０、および、他のＭＣＳＣに関連付けられた複数のサービスエリアが、ある与えられたエリアにわたって一貫性のある信号カバレッジを提供するように、異なる複数の位置に複数のＭＣＳＣが配置されてよい。多層のビルのようないくつかの環境において、これは、サービスエリア１４０による２次元的に表された地上でのカバレッジに加えて、特定の複数の高度におけるカバレッジを含み得る。
【００２１】
いくつかの環境においてｅＮＢ１３０およびＭＣＳＣ１２５は、一貫性のある信号カバレッジを提供すべくさらに使用され得る無線アクセスポイント（ＡＰ）またはパーソナル基本サービスセット（ＰＢＳＳ）コントロールポイント（ＰＣＰ）のような、その他複数の信号ソースによってもさらに動作し得る。
【００２２】
図２は、ＭＣＳＣとのセル関連付けおよびビームフォーミングトレーニングのための方法の１つの例示的実施形態を示し、方法２００として示されている。方法２００は様々な異なるシステムで実装され得るものの、例示を目的として、方法２００は、図１のネットワーク１００に関するものとして以下に説明される。さらに、方法２００は１つの例示的実施形態を説明するものであるが、本明細書に説明される複数の技術革新の範囲内において、その他複数の実施形態が可能であることが明らかとなろう。
【００２３】
工程２０２においてＵＥ１１５は、第１の複数のセクタ内で複数のＵＥ同期信号を送信する。そのような複数のセクタは、ＵＥ１１５の複数のアンテナ、もしくは、ＵＥ１１５の任意のシステムまたは複数の送信構成によって定義されてよい。複数のセクタ中で送信される複数のＵＥ同期信号の一例は、図４Ｂのランダムアクセスコード４３４によって示されており、ランダムアクセスコード４３４ａから４３４ｎは、それぞれ異なるセクタ中で送信されている。
【００２４】
工程２０４においてＵＥ１１５は、ＭＣＳＣ１２５から、第２の複数のセクタ内で複数のＭＣＳＣ同期信号を受信する。上述のように、そのような複数のセクタは、ＭＣＳＣ１２５の複数のアンテナによって、もしくはＭＣＳＣ１２５の任意のシステムまたは送信構成によって定義されてよい。複数のセクタ中で送信される複数のＭＣＳＣ同期信号の一例は、図４Ａの複数のＭＣＳＣ同期信号４０４によって示されており、ＭＣＳＣ同期信号４０４ａから４０４ｎは、それぞれ異なるセクタ中で送信されている。
【００２５】
工程２０６においてＵＥ１１５は、測定要求に応答して、上記第２の複数のセクタのうちの少なくとも第１のセクタに対する信号品質を測定する。そのような測定要求は、ｅＮＢ１３０から、または任意の他の認証されたソースから、ＵＥ１１５において受信されてよい。
【００２６】
工程２０８においてＵＥ１１５は、上記第１のセクタの第１の信号品質に基づいて上記第１のセクタを選択すべく、少なくとも上記第１のセクタに対する上記信号品質を分析する。工程２１０においてＵＥ１１５は、セル識別子および上記第１のセクタに関連付けられた第１セクタ識別子を、ＵＥ１１５からｅＮＢ１３０へと通信する。
【００２７】
上記第２の複数のセクタ内での上記複数のＭＣＳＣ同期信号の受信よりも前にＵＥ１１５が上記測定要求をｅＮＢから受信するように、および、ＭＣＳＣ１２５に関連付けられたセル識別子および上記第２の複数のセクタの各セクタに関連付けられたセクタ識別子を、上記複数のＭＣＳＣ同期信号からＵＥ１１５が決定するように、さらなる複数の実施形態がさらに動作してよい。
【００２８】
上記第２の複数のセクタのセクタごとの各ＭＣＳＣ同期信号が、２つの連続的シンボルを含むプライマリ同期信号（ＰＳＳ）および上記ＰＳＳに続くセカンダリ同期信号（ＳＳＳ）を含むように、さらなる複数の実施形態がさらに動作してよい。
【００２９】
上記第２の複数のセクタの各セクタに対する上記信号品質が、上記複数のセクタの各セクタに対する上記第１同期信号の受信信号強度表示（ＲＳＳＩ）、基準信号受信電力（ＲＳＲＰ）、および基準信号受信品質（ＲＳＲＱ）値のうちの少なくとも１つに少なくとも部分的に基づくものであるように、さらなる複数の実施形態がさらに動作してよい。
【００３０】
ｅＮＢへの上記セル識別子の通信に応答して、ＵＥ１１５が、無線リソース制御（ＲＲＣ）接続再設定通信をｅＮＢ１３０から受信するように、さらなる複数の実施形態がさらに動作してよい。
【００３１】
上記ＲＲＣ接続再設定通信がモビリティ制御情報を含むように、および、上記ＲＲＣ接続再設定通信が、ｅＮＢ１３０とＭＣＳＣ１２５との間のハンドオーバ通信に応答して受信されるように、さらなる複数の実施形態がさらに動作してよい。
【００３２】
上記複数のセクタのうちの少なくとも上記第１のセクタに対する上記信号品質を分析して上記第１のセクタを選択することが、上記複数のセクタの各セクタに対する品質値を上記ＲＳＳＩ、上記ＲＳＲＰ、および上記ＲＳＲＱの関数として決定すること、上記複数のセクタの各セクタに対する上記品質値から最高品質値を決定すること、および、上記最高品質値に関連付けられた１つのセクタを上記第１のセクタとして選択することを含むように、さらなる複数の実施形態がさらに動作してよい。
【００３３】
上記ＲＲＣ接続再設定が、上記第１のセクタの上記第１の信号品質に基づいて上記ｅＮＢにより成されるハンドオーバ決定に応答してさらに受信されるように、さらなる複数の実施形態がさらに動作してよい。
【００３４】
物理ダウンリンク共有チャネル（ＰＤＳＣＨ）を介して、ＵＥ１１５が、上記セル識別子、マスター情報ブロック（ＭＩＢ）、および一組の物理ランダムアクセスチャネル（ＰＲＡＣＨ）コードをｅＮＢ１３０から受信するように、さらなる複数の実施形態がさらに動作してよい。
【００３５】
ＭＣＳＣ１２５から上記同期信号の再送をＵＥ１１５が周期的に受信し、上記ＰＳＳを使用してタイミング取得を実行するように、さらなる複数の実施形態がさらに動作してよい。
【００３６】
上記第１の複数のセクタ内での上記ＵＥ同期信号の送信の一部として、上記一組のＰＲＡＣＨコードのうちの１つのＰＲＡＣＨコードを、上記ＵＥから上記ｅＮＢへ、上記第１の複数のセクタのそれぞれに対して通信することにより、ＵＥ１１５が少なくとも部分的に逆方向トレーニングを実行するように、さらなる複数の実施形態がさらに動作してよい。
【００３７】
ランダムアクセスコードの基数にセクタの数を掛けたものと等しい数のＰＲＡＣＨコードを上記一組のＰＲＡＣＨコードが含むように、さらなる複数の実施形態がさらに動作してよい。
【００３８】
上記一組のＰＲＡＣＨコードの各ＰＲＡＣＨコードが、ベースＰＲＡＣＨコードおよびセクタ識別情報を含むように、さらなる複数の実施形態がさらに動作してよい。
【００３９】
上記逆方向トレーニングに応答して、ＵＥ１１５が、セル無線ネットワーク一時識別子（Ｃ−ＲＮＴＩ）およびタイミングアドバンス（ＴＡ）コマンドを上記ＵＥにおいて受信するように、さらなる複数の実施形態がさらに動作してよい。
【００４０】
別の実施形態は、ｅＮＢ１３０およびＭＣＳＣ１２５とともに動作するＵＥ１１５によって実行される方法であってよい。そのような方法は、ＵＥ１１５においてｅＮＢ１３０から測定要求を受信すること、および、ＵＥ１１５において第１の複数のセクタの各セクタ内でＭＣＳＣ同期信号をＭＣＳＣ１２５から受信することを含んでよい。そのような方法はまた、ＵＥ１１５により、ＭＣＳＣ１２５に関連付けられたセル識別子および各セクタに関連付けられたセクタ識別子を決定すること、上記測定要求に応答して１つのセクタを選択すること、および、上記セル識別子および選択された上記１つのセクタに関連付けられた第１セクタ識別子をＵＥ１１５からｅＮＢ１２５へと通信することも含んでよい。
【００４１】
上記測定要求に応答して上記１つのセクタを選択することが、上記測定要求に応答して、上記第１の複数のセクタの各セクタに対する信号品質をＵＥ１１５において測定すること、および、上記第１の複数のセクタの各セクタに対する上記信号品質を分析して、第１のセクタの第１の信号品質に基づいて上記第１のセクタを選択することを含むように、追加的なそのような複数の実施形態がさらに動作してよい。
【００４２】
各セクタに対する上記信号品質が、上記第１の複数のセクタの各セクタに対する上記第１同期信号の受信信号強度表示（ＲＳＳＩ）、基準信号受信電力（ＲＳＲＰ）、および基準信号受信品質（ＲＳＲＱ）値の関数であるように、追加的なそのような複数の実施形態がさらに動作してよい。
【００４３】
上記ｅＮＢへの上記セル識別子の通信に応答して、上記ＵＥにおいて無線リソース制御（ＲＲＣ）接続再設定通信を上記ｅＮＢから受信すること、物理ダウンリンク共有チャネル（ＰＤＳＣＨ）を介して、上記ＵＥにおいて上記セル識別子、マスター情報ブロック（ＭＩＢ）、および一組の物理ランダムアクセスチャネル（ＰＲＡＣＨ）コードを上記ｅＮＢから受信すること、および、上記一組のＰＲＡＣＨコードのうちの１つのＰＲＡＣＨコードを、上記ＵＥから上記ｅＮＢへ、上記第１の複数のセクタの各セクタに対して通信することにより、少なくとも部分的に逆方向トレーニングを実行することを、追加的なそのような複数の実施形態がさらに含んでよい。上記ＰＲＡＣＨコードが、ベースＰＲＡＣＨコード、逆方向トレーニングに対するセクタ情報、およびビームフォーミングトレーニング肯定応答に対するｅＮＢセクタ情報を含むように、このような実施形態が動作してよい。
【００４４】
５９．９ＧＨｚと６０．１ＧＨｚの間の通信周波数を有する上記ＭＣＳＣからのミリメートル波通信の一部として上記ＭＣＳＣ同期信号が受信されるように、追加的なそのような複数の実施形態がさらに動作してよい。複数の他の実施形態においては、任意のミリメートル波周波数が使用されてよい。またさらなる複数の実施形態においては、複数のミリメートル波周波数と複数の非ミリメートル波周波数との両者が使用されてよい。
【００４５】
以下にさらに詳述されるように、さらなる複数の実施形態が、非一時的コンピュータ可読媒体を含んでよい。このような実施形態においてこの媒体は、プロセッサによって実行された場合に、ＵＥ１１５に特定の複数の動作を起こさせる複数の命令を含む。１つのそのような例示的実施形態において、これら複数の命令は、ＵＥ１１５に対し、ｅＮＢ１３０から測定要求を受信させ、第２の複数のセクタ内でＭＣＳＣ同期信号をＭＣＳＣ１２５から受信させる。これら複数の命令は、さらに、ＵＥ１１５に対し、ＭＣＳＣ１２５に関連付けられたセル識別子および上記第２の複数のセクタの各セクタに関連付けられたセクタ識別子を決定させてよい。これら複数の命令は、またさらに、ＵＥ１１５に対し、上記ＵＥにおいて、上記測定要求に応答して上記第２の複数のセクタの各セクタに対する信号品質を測定させ、上記第２の複数のセクタの各セクタに対する上記信号品質を分析させて、第１のセクタの第１の信号品質に基づいて上記複数のセクタのうちから上記第１のセクタを選択させ、セル識別子および上記第１のセクタに関連付けられた第１セクタ識別子を、上記ＵＥから進化型ユニバーサル地上波無線アクセスノードＢ（ｅＮＢ）へ通信させてよい。
【００４６】
さらなる複数の実施形態において、これら複数の命令は、ＵＥ１１５に対してさらに、第１の複数のセクタ内でＵＥ同期信号を送信させ、上記ｅＮＢへの上記セル識別子の通信に応答して、無線リソース制御（ＲＲＣ）接続再設定通信をｅＮＢ１３０から受信させ、物理ダウンリンク共有チャネル（ＰＤＳＣＨ）を介して、上記セル識別子、マスター情報ブロック（ＭＩＢ）、および一組の物理ランダムアクセスチャネル（ＰＲＡＣＨ）コードを上記ｅＮＢから受信させてよい。
【００４７】
またさらなる複数の実施形態において、これら複数の命令は、ＵＥ１１５に対してさらに、ＭＣＳＣ１２５から上記ＭＣＳＣ同期信号の再送を周期的に受信させ、ＵＥ１１５により、上記ＭＣＳＣ同期信号のプライマリ同期信号（ＰＳＳ）を使用してタイミング取得を実行させ、上記一組のＰＲＡＣＨコードのうちの一のＰＲＡＣＨコードを、上記第１の複数のセクタの各セクタ内での上記ＵＥ同期信号の送信の一部としてＵＥ１１５からｅＮＢ１４０へと通信することにより、少なくとも部分的に逆方向トレーニングを実行させ、上記逆方向トレーニングに応答して、セル無線ネットワーク一時識別子（Ｃ−ＲＮＴＩ）およびタイミングアドバンス（ＴＡ）コマンドを受信させてよい。
【００４８】
図３は、ＭＣＳＣとのセルの関連付けおよびビームフォーミングトレーニングの別の実施形態を説明する方法３００のフローチャートを示す。方法２００に対する上記とちょうど同じように、様々な異なるシステムを使用して方法３００の複数の動作が実行され得るものであるが、方法３００は、図１のネットワーク１００の複数の要素を使用して特に説明される。方法３００は、ＵＥ１１５、ＭＣＳＣ１２５、およびｅＮＢ１３０の間の一連の動作および通信を示し、複数の動作は上から下へと進んで行く。複数の代替的な実施形態においては、ＭＣＳＣ１２５がＵＥ１１０またはＵＥ１２０のような他のＵＥと通信し得るように、本明細書に説明される任意の動作は、他の複数の要素とともに実行されている同様な複数の動作と同時に実行されてよい。方法３００によって説明される複数の動作の複数の態様をシステムが同時に実行し得るように、ｅＮＢ１３０は、ＭＣＳＣ１２５および別の異なるＭＣＳＣと同時に、同じように通信してよい。
【００４９】
さらに、以下の実施形態は、ｅＮＢ１３０によってＭＣＳＣ１２５へと送信される複数のハンドオーバコマンドの使用により、ブースタセルとして動作しているＭＣＳＣ１２５を説明する。ＭＣＳＣ１２５のようなＭＣＳＣがブースタセルの代わりに二次キャリアとして動作しているような代替的な実施形態においては、ｅＮＢ１３０と無線ネットワーク１３５との間に示される接続と同様に、ネットワーク１００のＭＣＳＣ１２５は、無線ネットワーク１３５への直接の接続を含むであろう。ＭＣＳＣ１２５が二次キャリアとして動作しているような実施形態においては、ＵＥ１１５のようなＵＥが無線トラフィックのためにＭＣＳＣ１２５を使用することを可能とすべく、ｅＮＢ１３０は、複数のハンドオーバ手順の代わりに、複数のアクティブ化／非アクティブ化手順を使用してよい。
【００５０】
方法３００は、無線リソース制御（ＲＣＣ）再設定３０２に対する動作によって開始される。これは、ｅＮＢ１３０によって成され、ＵＥ１１５へと通信される測定要求として機能する。いくつかの実施形態においては、これは、"ｍｅａｎｓＣｏｎｆｉｇ"動作を使用した標準的なロングタームエボリューション（ＬＴＥ）ＲＣＣ再設定と同様であってよい。
【００５１】
セクタスイープ３０４は、システム設定の一部として継続的または周期的に起こる、繰り返し動作の一部であってよい。一例において、セクタスイープ３０４は、５ミリ秒ごとに繰り返す動作の一部であってよい。複数の他の実施形態においては、その他任意のそのような周期的またはシステム選択された繰り返しが使用されてよい。セクタスイープ３０４は、ＵＥ１１５によって受信される、ＭＣＳＣ１２５からの複数のＭＣＳＣ同期信号の通信を含む。複数の同期信号は、複数のセクタ中で繰り返し送信されてよい。
【００５２】
図４Ａは、複数のセクタに対して通信される複数のＭＣＳＣ同期信号４０４の一実施形態の複数の態様を説明する。複数の同期信号４０４は、同期信号４０４ａとして第１のセクタへと通信される信号、同期信号４０４ｂとして第２のセクタへと通信される信号、同期信号４０４ｎとしてＮ番目のセクタへと通信される信号、などを含む。そのような複数の信号が、ＵＥ１１５によって、並びに、特定のセクタに対して送信された同期信号によってカバーされる信号エリア内のその他任意のＵＥによって受信され得る。いくつかの実施形態において、複数の同期信号４０４のうちの特定の複数の同期信号はＵＥ１１５によって受信されなくてもよいが、複数の同期信号４０４のうちの少なくとも１つの信号がＵＥ１１５によって受信される。
【００５３】
フレーム構造を備える一実施形態においては、プライマリ同期信号（ＰＳＳ）およびセカンダリ同期信号（ＳＳＳ）を伴う、複数のＭＣＳＣ同期信号４０４の一部として複数の連続的シンボルが使用され得る。そのようなシステムは、標準的な３セクタＬＴＥコード空間から複数のセクタ設計まで拡張されるＰＳＳコード空間を使用して動作し得る。例えば、拡張されたＰＳＳコード空間は、８セクタまたは１６セクタに対する空間を含み得る。ＰＳＳの効率的な検出を可能にすべく、複数のＭＣＳＣ同期信号４０４のうちの個々の同期信号内におけるＰＳＳ系列は、内部に繰り返しパターンを有し得る。
【００５４】
例えば、ＰＳＳ系列の一実施形態は、周波数ドメインにおける奇数トーンごと、または偶数トーンごとに配置されてよく、これは時間ドメインの繰り返しを生じ、タイミング取得とフレーム境界検出に対して自己相関を許す。その後、セクタ識別子を検出すべく、検出器によって相互相関が適用されてよい。セル識別子を含むＳＳＳは、ＳＳＳの設計によって可能とされるコヒーレントな検出を伴う同様な設計に従ってよい。１つの同期信号のＰＳＳ要素およびＳＳＳ要素の詳細な系列は、ＭＣＳＣシステムの帯域幅、並びに、ＭＣＳＣ１２５が動作するシステムのサンプリングレートおよびシンボル持続時間に基づいて設定されてよい。そのような詳細な系列はまた、ＭＣＳＣ１２５によって使用されるセクタの数に基づいて設定されてよい。
【００５５】
図５は、ＭＣＳＣ同期信号５０４ａの一実施形態を示す。複数のＭＣＳＣ同期信号４０４のいくつかの実装例において、ＭＣＳＣ同期信号４０４ａがＭＣＳＣ同期信号５０４ａと同様であってよい。ＭＣＳＣ同期信号５０４ａは、第１のＰＳＳ５０４ａ１および第２のＰＳＳ５０４ａ２として示される２つのＰＳＳ通信を含む。単一のＳＳＳ５０４ａ３が、第２のＰＳＳ５０４ａ２に続く。ＭＣＳＣ同期信号５０４ａの後に、各ＭＣＳＣ同期信号が２つのＰＳＳ／１つのＳＳＳ同期信号構造を有するような複数のＭＣＳＣ同期信号を使用して、セクタスイープの一部として別の複数のＭＣＳＣ同期信号が続いてよい。
【００５６】
その後、信号品質分析３０６の動作が、ＭＣＳＣ同期信号４０４ａのような１または複数のＭＣＳＣ同期信号４０４の受信、および、受信されたＭＣＳＣ同期信号のそれぞれに対するＵＥ１１５による信号品質分析の実行を含む。信号品質は、少なくとも部分的に、複数のセクタの各セクタに対する第１同期信号の受信信号強度表示（ＲＳＳＩ）、基準信号受信電力（ＲＳＲＰ）、基準信号受信品質（ＲＳＲＱ）値、またはこれらの任意の組み合わせ、もしくは、受信された複数のＭＣＳＣ同期信号４０４から決定されるその他複数の値に基づいたものであってよい。ＵＥ１１５は、その後、複数の品質分析に基づいて１つのセクタを選択する。例えば、一実施形態においてＵＥ１１５は、ＲＳＳＩ、ＲＳＲＰ、およびＲＳＲＱの関数として、複数のセクタの各セクタに対する品質値を決定してよく、複数のセクタの各セクタに対するこの品質値から最高品質値を決定してよく、この最高品質値に関連付けられた１つのセクタを第１のセクタとして選択してよい。例えばこれは、各セクタに対する品質値から選択される最大または最小の品質値であってよい。
【００５７】
次の動作は測定レポート３０８である。そこでは、ＵＥ１１５が、信号品質分析３０６の一部として実行された品質分析の複数の結果を通信する。測定レポート３０８は、例えば、各セクタに対してＲＳＳＩ値、ＲＳＲＰ値、およびＲＳＲＱ値を送信することによる、各セクタに対する品質の順位を含んでよい。測定レポート３０８は、代替的に、そのような複数の値、または、そのような品質の順位の関数である計算された品質値のような別の値を送信してよい。
【００５８】
その後ｅＮＢ１３０は、測定レポート３０８からこの情報を受信し、この情報を使用してハンドオーバ決定を行ってよい。このハンドオーバ決定は、複数の品質分析閾値に基づいたもの、ｅＮＢ１３０からＵＥ１１５への複数の信号に関連付けられた、同様な品質分析順位との比較に基づいたもの、または、その他任意の、そのような複数のハンドオーバ決定閾値に基づいたものであってよい。そのような複数のハンドオーバ決定は、複数のｅＮＢ間の既存の複数のＬＴＥハンドオーバ規格に基づいたものであってよい。もしくは、複数のＭＣＳＣ動作に対してカスタマイズされた複数のハンドオーバ処理に基づくものであってよい。さらに、複数のハンドオーバ決定は、ＭＣＳＣ１２５がｅＮＢ１３０に対するブースタとして動作しているかどうか、または、ＭＣＳＣ１２５が独立のセルとして動作しているかどうかに応じて異なるものであってよい。
【００５９】
ｅＮＢ１３０からＭＣＳＣ１２５へとＵＥ１１５が渡されることをｅＮＢ１３０が決定する場合、ｅＮＢは、ＭＣＳＣ１２５とハンドオーバ・ハンドシェイクを実行する。このハンドオーバ処理は、方法３００によって示されるように、ｅＮＢ１３０からＭＣＳＣ１２５への通信を含むハンドオーバ要求３１０、ＭＣＳＣ１２５からのハンドオーバ応答３１２の通信、および、ｅＮＢ１３０からＵＥ１１５へのＲＲＣ再設定３１４の通信を含む。
【００６０】
ハンドオーバのこの初期部分の後、対象スモールセル３１６動作が、ｅＮＢ１３０からＵＥ１１５への適用可能なハンドオーバ情報の通信を含む。このハンドオーバ情報は、マスター情報ブロック（ＭＩＢ）、および、物理ダウンリンク共有チャネル（ＰＤＳＣＨ）または任意の利用可能な通信リンクを介した物理ランダムアクセスチャネル（ＰＲＡＣＨ）コードを含む。このハンドオーバ情報はまた、複数のシステム情報ブロック（ＳＩＢ）、複数の信号品質分析３０６によって特定されたセクタ、および、任意の他の、そのようなハンドオーバ情報を含み得る。
【００６１】
その後は、セクタスイープ３１８が、ＭＣＳＣ１２５によって送られた複数のＭＣＳＣ同期信号４０４の送信の続きである。複数のＭＣＳＣ同期信号４０４のこれらの追加的な複数の繰り返しは、その後ＵＥ１１５により受信されてよい。洗練トレーニング（Refine training）３２０が次にＵＥ１１５によって実行される動作であり、これは、タイミング取得を実行すべく、ＵＥ１１５によって受信されたセクタスイープ３１８からの複数のＭＣＳＣ同期信号４０４の一部を使用するためのものである。ＵＥ１１５によって実行されるタイミング取得は、対象スモールセル３１６の一部として受信されたハンドオーバ情報とともに、ＭＣＳＣ同期信号４０４ｂのような個々のＭＣＳＣ同期信号の複数のＰＳＳ部分を使用してよい。洗練トレーニング３２０は、新たなセクタが最高信号品質に関連付けられているかどうかを決定すべく、信号品質分析３０６の品質分析の繰り返しをさらに含んでよい。いくつかの実施形態においては、もしもＵＥが移動しておらず、セクタスイープ３０４とセクタスイープ３１８との間の経過時間が小さい場合、洗練トレーニング３２０が必要ではなく、洗練トレーニング３２０が実行されなくてよいことをＵＥ１１５が決定してよい。この決定は、ＵＥ１１５に格納され、ＵＥ１１５の動きに関連付けられた閾値設定、並びに、セクタスイープ３０４およびセクタスイープ３１８における複数のＭＣＳＣ同期信号の受信の間の経過時間に基づくものであってよい。
【００６２】
次は、セクタスイープＰＲＡＣＨ３２２に対する動作が、ＵＥ１１５からＭＣＳＣ１２５への逆トレーニング（reverse training）の一部である。この逆トレーニングの一部として、ＵＥ１１５は、対象スモールセル３１６動作からのハンドオーバ情報の一部として受信された、複数のアクセスコードを送信する。これは、図４Ｂに示されるように、セクタ１ランダムアクセスコード４３４ａ、セクタ２ランダムアクセスコード４３４ｂ、セクタｎランダムアクセスコード４３４ｎ、などをＵＥ１１５が送信するように、各セクタに対するアクセスコードを含む。様々な実施形態において、これは、図６Ａ−図６Ｃに示されるように、標準化された基本である６４個のランダムアクセスコードから、様々な方法で修正され得るＰＲＡＣＨコードであってよい。従って、図４Ｂは、第１の複数のセクタ中でＵＥ１１５により送信された複数のＵＥ同期信号を示し、図４Ａは、別個の第２の複数のセクタ中で送信された複数のＭＣＳＣ同期信号を示す。
【００６３】
図６Ａは、セクタスイープＰＲＡＣＨ３２２の一部として使用され得るアクセスコードの例を、ランダムアクセスコード６１０として示す。ランダムアクセスコード６１０は、一組の拡張ＰＲＡＣＨコードからの１つのアクセスコードであり、この一組は、ＭＣＳＣ１２５により使用されるセクタの数を６４個のコードに掛けたものに等しい数のコードを含む。例えば、もしもＭＣＳＣ１２５が１０個のセクタを使用する場合、ランダムアクセスコード６１０がその一部である一組の拡張ＰＲＡＣＨコードは、６４０個の異なるアクセスコードを含むであろう。もしもＭＣＳＣ１２５が４個のセクタを使用する場合、ランダムアクセスコード６１０がその一部である一組の拡張ＰＲＡＣＨコードは、２５６個の異なるアクセスコードを含むであろう。
【００６４】
図６Ｂおよび６Ｃは、セクタスイープＰＲＡＣＨ３２２の一部として使用され得る複数のアクセスコードの追加的な複数の例である。ランダムアクセスコード６２０は、標準的ＰＲＡＣＨコードと、それに続くセクタ情報を含む。ランダムアクセスコード６２０がその一部である一組のＰＲＡＣＨコードは、ランダムアクセスコード６１０がその一部である一組のＰＲＡＣＨコードと同じ数の異なるランダムアクセスコードを含むであろう。しかし、各セクタに対する６４個の一意のランダムコードよりもむしろ、コードの一部としてセクタ情報を単純に含むであろう。ランダムアクセスコード６３０は、ＵＥ１１５が、信号品質分析３０６によって決定された最高セクタとは異なる新たな最高セクタに移動し、新たなＵＥの位置に関連付けられていると洗練トレーニング３２０が判断する場合のランダムアクセスコードに含まれ得るセクタ情報の例である。従ってランダムアクセスコード６３０は、単にセクタ識別情報を含む代わりにセクタを含む。従ってランダムアクセスコード６３０は、ＰＲＡＣＨコードのみでなく、逆方向トレーニング情報およびビームフォーミングトレーニング確認応答情報もまた含む。
【００６５】
ＵＥ１１５セクタスイープＰＲＡＣＨ３２２動作が、図４Ｂに示されるような複数のランダムアクセスコード４３４の通信を完了した後、ＭＣＳＣ１２５は、ＰＲＡＣＨ応答３２４の一部としてセル無線ネットワーク一時識別子（Ｃ−ＲＮＴＩ）およびタイミングアドバンス（ＴＡ）コマンドを含むランダムアクセス応答を送信する。さらにＭＣＳＣ１２５は、ＭＣＳＣ１２５によって受信されたセクタスイープＰＲＡＣＨ３２２からの複数のランダムアクセスコード４３４を分析してよい。また、ＭＣＳＣ１２５は、複数の異なるセクタ中で通信された複数のランダムアクセスコード４３４に基づいて最高セクタを決定してよい。これは、信号品質分析３０６に対する上述の任意のセクタ分析と同様または同一である、ＭＣＳＣ１２５によって実行される信号品質分析を使用してよい。これはまた、複数のランダムアクセスコード４３４に対して使用された複数のセクタの追加的または代替的な異なる分析を含み得る。
【００６６】
上記にて説明されたように、方法３００は特に、ｅＮＢ１３０に対するブースタとして動作しているＭＣＳＣ１２５を伴う実施形態に向けられている。ブースタセルの代わりに、二次キャリアとして動作しているＭＣＳＣ１２５のようなＭＣＳＣを伴う代替的な実施形態において、ｅＮＢ１３０は、ＵＥ１１５のようなＵＥが無線トラフィック用にＭＣＳＣ１２５を使用することを可能とすべく、複数のハンドオーバ手順の代わりに、複数のアクティブ化／非アクティブ化手順を使用してよい。そのような複数の実施形態において、ハンドオーバ要求３１０およびハンドオーバ応答３１２は、ＭＣＳＣ１２５に向けられたアクティブ化および非アクティブ化動作によって置き換えられて、もしくは強化されてよく、ＭＣＳＣ１２５が、ｅＮＢからのそのようなアクティブ化および非アクティブ化コマンドに応答する。
【００６７】
図７は、ＵＥ７００として示される、例示的なＵＥを示す。ＵＥ７００は、ＵＥ１１０、ＵＥ１１５、または本明細書にて説明された任意のＵＥの実装であってよく、ＭＣＳＣ１２５のようなＭＣＳＣと通信するように構成された回路、並びに、ｅＮＢ１３０のようなｅＮＢとの通信を可能とする回路を含み得る。
【００６８】
ＵＥ７００は、基地局（ＢＳ）のような送信局、進化型ノードＢ（ｅＮＢ）、ＲＲＵ、または他のタイプの無線広域ネットワーク（ＷＷＡＮ）アクセスポイントと通信するように構成された１または複数のアンテナを含むことができる。モバイルデバイスは、３ＧＰＰ  ＬＴＥ、ＷｉＭＡＸ（登録商標）、高速パケットアクセス（ＨＳＰＡ）、Ｂｌｕｅｔｏｏｔｈ（登録商標）、およびＷｉＦｉを含む少なくとも１つの無線通信規格を使用して通信するように構成され得る。モバイルデバイスは、それぞれの無線通信規格に対する別々のアンテナを使用して、または、複数の無線通信規格に対する複数の共有アンテナを使用して通信することができる。モバイルデバイスは、無線ローカルエリアネットワーク（ＷＬＡＮ）、無線パーソナルエリアネットワーク（ＷＰＡＮ）、および／またはＷＷＡＮで通信することができる。
【００６９】
図７はＵＥ７００の例を示す。ＵＥ７００は、任意のモバイルデバイス、移動局（ＭＳ）、モバイル無線デバイス、モバイル通信デバイス、タブレット、ハンドセット、または、他のタイプのモバイル無線コンピューティングデバイスであり得る。ＵＥ７００は、ホットスポット、基地局（ＢＳ）、ｅＮＢ、もしくは、他のタイプのＷＬＡＮまたはＷＷＡＮアクセスポイントと通信するように構成された１または複数のアンテナ７０８を筐体７０２内に含むことができる。従ってＵＥは、上記にて詳述されたように、非対称ＲＡＮの一部として実装されるｅＮＢまたは基地局送受信機を介して、インターネットのようなＷＡＮと通信してよい。ＵＥ７００は、３ＧＰＰ  ＬＴＥ、ＷｉＭＡＸ（登録商標）、高速パケットアクセス（ＨＳＰＡ）、Ｂｌｕｅｔｏｏｔｈ（登録商標）、およびＷｉ−Ｆｉ規格定義から選択される複数の規格を含む複数の無線通信規格を使用して通信するように構成され得る。ＵＥ７００は、それぞれの無線通信規格に対する別々のアンテナを使用して、または、複数の無線通信規格に対する複数の共有アンテナを使用して通信することができる。ＵＥ７００はＷＬＡＮ、ＷＰＡＮ、および／またはＷＷＡＮで通信することができる。
【００７０】
図７はまた、ＵＥ７００からの音声入力および出力用に使用され得る、１つのマイクロホン７２０並びに１または複数のスピーカ７１２も示す。ディスプレイスクリーン７０４は、液晶ディスプレイ（ＬＣＤ）スクリーンであること、あるいは有機発光ダイオード（ＯＬＥＤ）ディスプレイのような他のタイプのディスプレイスクリーンであることができる。ディスプレイスクリーン７０４はタッチスクリーンとして構成され得る。タッチスクリーンは、静電容量方式、抵抗方式、または別のタイプのタッチスクリーン技術を使用することができる。処理機能および表示機能を提供すべく、アプリケーションプロセッサ７１４およびグラフィックプロセッサ７１８が内部メモリ７１６に結合され得る。データ入力／出力オプションをユーザに提供すべく、不揮発性メモリポート７１０もまた使用され得る。不揮発性メモリポート７１０はまた、ＵＥ７００のメモリ機能を拡張するために使用されることもできる。追加的なユーザ入力を提供すべく、キーボード７０６が、ＵＥ７００と統合され得る。あるいは、無線によりＵＥ７００に接続され得る。タッチスクリーンを使用して、仮想キーボードもまた提供され得る。ＵＥ７００の前（ディスプレイスクリーン）側または後ろ側に配置されたカメラ７２２もまた、ＵＥ７００の筐体７０２に統合され得る。そのような任意の複数の要素が、本明細書にて説明されるように、非対称Ｃ−ＲＡＮを介したアップリンクデータとして通信され得る情報を生成すべく、また、非対称Ｃ−ＲＡＮを介したダウンリンクデータとして通信され得る情報を受信すべく使用されてよい。
【００７１】
図８は、ＭＣＳＣ１２５、ｅＮＢ１３０、およびＵＥ１１５を含む、本明細書に説明される複数の手順のうちの任意の１または複数が実行され得る、例示的なコンピュータシステム機械８００を示すブロック図である。様々な代替的実施形態において、この機械は、スタンドアロンデバイスとして動作する。または他の複数の機械に接続され得る（例えばネットワーク接続され得る）。ネットワーク接続された配置において、この機械は、複数のサーバ−クライアントネットワーク環境中のサーバ機械またはクライアント機械のどちらかの立場で動作することができる。あるいは、複数のピア・ツー・ピア（または分散型）ネットワーク環境中のピアマシンとして作用することができる。この機械は、ポータブルであってもなくてもよいパーソナルコンピュータ（ＰＣ）（例えばノートブックまたはネットブック）、タブレット、セットトップボックス（ＳＴＢ）、ゲーム機、携帯情報端末（ＰＤＡ）、携帯電話またはスマートフォン、ウェブ機器、ネットワークルータ、スイッチまたはブリッジ、もしくは、その機械が取るべき複数の動作を特定する複数の（逐次的またはそうではない）命令を実行することの可能な任意の機械であり得る。さらに、単一の機械のみが示されているものの、"機械"という用語はまた、本明細書で説明される複数の手順のうちの任意の１または複数を実行すべく、一組（または複数組）の命令を個別にまたは共同で実行する複数の機械の任意の集まりを含むものとみなされるべきである。
【００７２】
例示的なコンピュータシステム機械８００は、相互接続８０８（例えばリンク、バス、など）を介して互いに通信するプロセッサ８０２（例えば中央処理装置（ＣＰＵ）、グラフィック処理装置（ＧＰＵ）、またはその両者）、メインメモリ８０４およびスタティックメモリ８０６を含む。コンピュータシステム機械８００は、ビデオディスプレイ装置８１０、英数字入力デバイス８１２（例えばキーボード）、およびユーザインタフェース（ＵＩ）ナビゲーションデバイス８１４（例えばマウス）をさらに含むことができる。一実施形態において、ビデオディスプレイ装置８１０、入力デバイス８１２、およびＵＩナビゲーションデバイス８１４はタッチスクリーンディスプレイである。コンピュータシステム機械８００は、記憶デバイス８１６（例えばドライブユニット）、信号生成デバイス８１８（例えばスピーカ）、出力コントローラ８３２、電力管理コントローラ８３４、および（１または複数のアンテナ８３０、送受信機、またはその他の無線通信ハードウェアを含み得る、もしくはそれらと動作可能に通信し得る）ネットワークインタフェースデバイス８２０、並びに、全地球測位システム（ＧＰＳ）センサ、コンパス、位置センサ、加速度計、またはその他のセンサのような１または複数のセンサ８２８をさらに含むことができる。
【００７３】
記憶デバイス８１６は、本明細書に説明される複数の手順または機能の任意の１または複数を具現化する、もしくは、それらにより利用される、１または複数組のデータ構造または命令８２４（例えばソフトウェア）が格納された機械可読媒体８２２を含む。複数の命令８２４はまた、メインメモリ８０４、スタティックメモリ８０６、およびプロセッサ８０２もまた機械可読媒体を構成するコンピュータシステム機械８００によってそれら複数の命令が実行される間に、メインメモリ８０４、スタティックメモリ８０６内、および／またはプロセッサ８０２内に、完全にまたは少なくとも部分的に存在することができる。
【００７４】
例示的実施形態において、機械可読媒体８２２は単一の媒体であるべきように示されているものの、"機械可読媒体"という用語は、１または複数の命令８２４を格納する単一の媒体または複数の媒体（例えば集中または分散型データベース、および／または関連付けられた複数のキャッシュおよびサーバ）を含むことができる。"機械可読媒体"という用語はまた、機械が実行するための複数の命令を格納、符号化、または搬送することが可能であり、本開示の複数の手順の任意の１または複数を機械に実行させる、もしくは、そのような複数の命令によって利用される、またはそのような複数の命令に関連付けられる複数のデータ構造を格納、符号化、または搬送することが可能な、任意の有形な媒体を含むものとみなされるべきである。
【００７５】
複数の命令８２４は、いくつかのよく知られた転送プロトコル（例えばＨＴＴＰ）のうちの任意の１つを利用したネットワークインタフェースデバイス８２０を介して、伝送媒体を使用して通信ネットワーク８２６上でさらに送信され得る、または受信され得る。"伝送媒体"という用語は、機械が実行するための複数の命令を格納、符号化、または搬送することが可能であり、複数のデジタルまたはアナログ通信信号を含む任意の無形の媒体、または、そのようなソフトウェアの通信を容易にするその他の無形の媒体を含むものとみなされるべきである。
【００７６】
様々な技術、またはそれらの特定の態様または一部が、フロッピー（登録商標）ディスク、ＣＤ−ＲＯＭ、ハードドライブ、非一時的コンピュータ可読記憶媒体、または、任意の他の機械可読記憶媒体のような有形の媒体で具現化されるプログラムコード（つまり複数の命令）の形を取り得る。ここで、プログラムコードがコンピュータのような機械にロードされ、実行された場合に、この機械は、これらの様々な技術を実施するための装置となる。プログラム可能なコンピュータ上でのプログラムコードの実行の場合、コンピューティングデバイスが、プロセッサ、このプロセッサによって読み取り可能な記憶媒体（揮発性および不揮発性メモリ、および／または複数の記憶要素を含む）、少なくとも１つの入力デバイス、および少なくとも１つの出力デバイスを含んでよい。揮発性および不揮発性メモリおよび／または複数の記憶要素は、ＲＡＭ、ＥＰＲＯＭ、フラッシュドライブ、光学ドライブ、磁気ハードドライブ、または電子データを格納するための他の媒体であってよい。基地局および移動局は、送受信機モジュール、カウンタモジュール、処理モジュール、および／またはクロックモジュールまたはタイマモジュールもまた含んでよい。本明細書に説明される様々な技術を実装または利用し得る１つまたは複数のプログラムは、アプリケーションプログラミングインタフェース（ＡＰＩ）、リユーザブルコントロール、などを使用してよい。そのような複数のプログラムは、コンピュータシステムと通信すべく、高レベルのプロシージャプログラミング言語またはオブジェクト指向プログラミング言語で実装され得る。しかしながら、所望であれば、プログラムはアセンブリ言語またはマシン言語で実装されてよい。いずれにせよ、言語はコンパイラ型言語またはインタプリタ型言語であってよく、複数のハードウェア実装と組み合わされてよい。
【００７７】
様々な実施形態が、３ＧＰＰ  ＬＴＥ／ＬＴＥ−Ａ、ＩＥＥＥ  ８０２．１１、およびＢｌｕｅｔｏｏｔｈ（登録商標）通信規格を使用してよい。様々な代替的実施形態が、様々なその他のＷＷＡＮ、ＷＬＡＮ、およびＷＰＡＮプロトコルを使用してよく、本明細書に説明される複数の技術と関連して複数の規格が使用され得る。これらの規格は、限定されるものではないが、３ＧＰＰからの他の複数の規格（例えばＨＳＰＡ＋、ＵＭＴＳ）、ＩＥＥＥ８０２．１６（例えば８０２．１６ｐ）、またはＢｌｕｅｔｏｏｔｈ（登録商標）規格群（例えばＢｌｕｅｔｏｏｔｈ（登録商標）７．０、またはＢｌｕｅｔｏｏｔｈ（登録商標）特定利益団体によって定義される同様な複数の規格）を含む。その他複数の適用可能なネットワーク構成が、ここに説明される複数の通信ネットワークの範囲内に含まれ得る。そのような複数の通信ネットワーク上での複数の通信は、複数の有線または無線伝送媒体の任意の組み合わせを使用した任意の数のパーソナルエリアネットワーク、ＬＡＮ、およびＷＡＮを使用して容易にされ得ることが理解されよう。
【００７８】
上述の複数の実施形態は、ハードウェア、ファームウェア、およびソフトウェアの１つ、またはそれらの組み合わせで実装され得る。様々な方法または技術、もしくはそれらの特定の態様または一部は、フラッシュメモリ、ハードドライブ、ポータブル記憶デバイス、リードオンリメモリ（ＲＯＭ）、ランダムアクセスメモリ（ＲＡＭ）、半導体メモリデバイス（例えば電気的プログラマブルリードオンリメモリ（ＥＰＲＯＭ）、電気的消去可能プログラマブルリードオンリメモリ（ＥＥＰＲＯＭ））、磁気ディスク記憶媒体、光学記憶媒体、および任意の他の機械可読記憶媒体または記憶デバイスのような、有形の媒体中に具現化されたプログラムコード（つまり複数の命令）の形を取り得る。ここで、プログラムコードがコンピュータまたはネットワーキングデバイスのような機械にロードされ、実行された場合に、この機械は、これらの様々な技術を実施するための装置となる。
【００７９】
機械可読記憶媒体または他の記憶デバイスは、機械（例えばコンピュータ）によって読み取り可能な形で情報を格納するための、任意の非一時的メカニズムを含むことができる。プログラム可能なコンピュータ上で実行しているプログラムコードの場合、コンピューティングデバイスが、プロセッサ、このプロセッサによって読み取り可能な記憶媒体（揮発性および不揮発性メモリ、および／または複数の記憶要素を含む）、少なくとも１つの入力デバイス、および少なくとも１つの出力デバイスを含むことができる。本明細書に説明される様々な技術を実装または利用することができる１つまたは複数のプログラムは、アプリケーションプログラミングインタフェース（ＡＰＩ）、リユーザブルコントロール、などを使用することができる。そのような複数のプログラムは、コンピュータシステムと通信すべく、高レベルのプロシージャプログラミング言語またはオブジェクト指向プログラミング言語で実装され得る。しかしながら、所望であれば、プログラムはアセンブリ言語またはマシン言語で実装され得る。いずれにせよ、言語はコンパイラ型言語またはインタプリタ型言語であること、および、ハードウェア実装と組み合わされることができる。
【００８０】
本明細書中で説明される複数の機能ユニットまたは機能が、それらの実装の独立性を特に一層協調するために、複数のコンポーネントまたはモジュールとして参照されてきたこと、または符号が付されてきたことが理解されるべきである。例えば、コンポーネントまたはモジュールは、複数のカスタム超大規模集積（ＶＬＳＩ）回路またはゲートアレイ、複数のロジックチップ、トランジスタ、またはその他複数のディスクリートコンポーネントのような、複数の既製の半導体を含むハードウェア回路として実装され得る。コンポーネントまたはモジュールはまた、フィールドプログラマブルゲートアレイ、プログラマブルアレイロジック、プログラマブルロジックデバイスなどのような、複数のプログラマブルハードウェアデバイスでも実装され得る。複数のコンポーネントまたはモジュールはまた、様々なタイプのプロセッサによって実行するためのソフトウェアでも実装され得る。例えば、実行可能なコードの特定されたコンポーネントまたはモジュールが、例えばオブジェクト、プロシージャ、または関数として編成されることのできる複数のコンピュータ命令の１または複数の物理ブロックまたは論理ブロックを含むことができる。それにもかかわらず、特定されたコンポーネントまたはモジュールの実行可能なものは、物理的に一緒に配置される必要はなく、論理的に一緒に結び付けられた場合にそれらのコンポーネントまたはモジュールを含み、それらのコンポーネントまたはモジュールに対して規定された目的を達成する、異なる複数の位置に格納された全く異なる複数の命令を含むことができる。
【００８１】
実際のところ、実行可能なコードのコンポーネントまたはモジュールは、単一の命令であることができる。もしくは、多くの命令であることができる。そして、いくつかの異なるコードセグメントにわたって、異なる複数のプログラム中で、および、いくつかのメモリデバイスにわたって分散されることさえもできる。同様に、本明細書において処理データは、複数のコンポーネントまたはモジュール内において特定されることおよび示されることができ、また、任意の適切な形態で具現化されること、および任意の適切なタイプのデータ構造内で編成されることができる。処理データは、単一のデータセットとして集められ得る。もしくは、異なる複数の記憶デバイスにわたることを含めて、異なる複数の位置にわたって分散され得る。そして、少なくとも部分的には、システムまたはネットワーク上で、単に複数の電子信号として存在し得る。複数のコンポーネントまたはモジュールは、受動的または能動的であることができ、所望の複数の機能を実行するように動作可能な複数のエージェントを含む。
【００８２】
ここに説明される方法、システム、およびデバイスの複数の実施形態のさらなる複数の例は、以下の非限定的複数の構成を含む。以下の非限定的な複数の例のそれぞれは、それ自身で成り立つことができる。もしくは、以下にまたは本開示を通じて提供される、その他複数の例のうちの任意の１または複数との任意の変形または組み合わせにおいて組み合わされ得る。
【図１】
2016540422.tif 000003
【図２】
2016540422.tif 000004
【図３】
2016540422.tif 000005
【図４Ａ】
2016540422.tif 000006
【図４Ｂ】
2016540422.tif 000007
【図５】
2016540422.tif 000008
【図６Ａ】
2016540422.tif 000009
【図６Ｂ】
2016540422.tif 000010
【図６Ｃ】
2016540422.tif 000011
【図７】
2016540422.tif 000012
【図８】
2016540422.tif 000013
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）であって、
第１の複数のセクタ内で複数のＵＥ同期信号を送信し、
ミリメートル波対応スモールセル（ＭＣＳＣ）から、第２の複数のセクタ内で複数のＭＣＳＣ同期信号を受信し、
測定要求に応答して、前記第２の複数のセクタのうちの少なくとも第１のセクタに対する信号品質を前記ＵＥにおいて測定し、
前記第１のセクタの第１の信号品質に基づいて前記第１のセクタを選択すべく、少なくとも前記第１のセクタに対する前記信号品質を分析し、
セル識別子および前記第１のセクタに関連付けられた第１セクタ識別子を、前記ＵＥから進化型ユニバーサル地上波無線アクセスノードＢ（ｅＮＢ）へ通信する回路を備えるＵＥ。
【請求項２】
前記回路はさらに、
前記第２の複数のセクタ内での前記複数のＭＣＳＣ同期信号の受信よりも前に前記測定要求を前記ｅＮＢから受信し、
前記複数のＭＣＳＣ同期信号から、前記ＭＣＳＣに関連付けられたセル識別子および前記第２の複数のセクタの各セクタに関連付けられたセクタ識別子を決定する、請求項１に記載のＵＥ。
【請求項３】
前記第２の複数のセクタのセクタごとの各ＭＣＳＣ同期信号は、２つの連続的シンボルを含むプライマリ同期信号（ＰＳＳ）および前記ＰＳＳに続くセカンダリ同期信号（ＳＳＳ）を含む、請求項２に記載のＵＥ。
【請求項４】
前記第２の複数のセクタの各セクタに対する前記信号品質は、前記第２の複数のセクタの各セクタに対する第１の前記同期信号の受信信号強度表示（ＲＳＳＩ）、基準信号受信電力（ＲＳＲＰ）、および基準信号受信品質（ＲＳＲＱ）値のうちの少なくとも１つに少なくとも部分的に基づいている、請求項３に記載のＵＥ。
【請求項５】
前記回路はさらに、
前記ｅＮＢへの前記セル識別子の通信に応答して、無線リソース制御（ＲＲＣ）接続再設定通信を前記ｅＮＢから受信する、請求項４に記載のＵＥ。
【請求項６】
前記ＲＲＣ接続再設定通信はモビリティ制御情報を含み、
前記ＲＲＣ接続再設定通信は、前記ｅＮＢと前記ＭＣＳＣとの間のハンドオーバ通信に応答して受信される、請求項５に記載のＵＥ。
【請求項７】
前記第１のセクタを選択すべく、前記第２の複数のセクタのうちの少なくとも前記第１のセクタに対する前記信号品質を分析する前記回路は、
前記第２の複数のセクタの各セクタに対する品質値を、前記ＲＳＳＩ、前記ＲＳＲＰ、および前記ＲＳＲＱの関数として決定し、
前記第２の複数のセクタの各セクタに対する前記品質値から最高品質値を決定し、
前記最高品質値に関連付けられた一のセクタを前記第１のセクタとして選択する回路を有する、請求項５に記載のＵＥ。
【請求項８】
前記ＲＲＣ接続再設定は、前記第１のセクタの前記第１の信号品質に基づいて前記ｅＮＢによって成されるハンドオーバ決定に応答してさらに受信される、請求項７に記載のＵＥ。
【請求項９】
前記回路はさらに、物理ダウンリンク共有チャネル（ＰＤＳＣＨ）を介して、前記セル識別子、マスター情報ブロック（ＭＩＢ）、および一組の物理ランダムアクセスチャネル（ＰＲＡＣＨ）コードを前記ｅＮＢから受信する、請求項８に記載のＵＥ。
【請求項１０】
前記回路はさらに、
前記同期信号の再送を前記ＭＣＳＣから周期的に受信し、
前記ＵＥにより、前記ＰＳＳを使用してタイミング取得を実行する、請求項９に記載のＵＥ。
【請求項１１】
前記回路はさらに、
前記一組のＰＲＡＣＨコードのうちの一のＰＲＡＣＨコードを、前記ＵＥから前記ｅＮＢへ、前記第１の複数のセクタ内での前記ＵＥ同期信号の送信の一部として前記第１の複数のセクタのそれぞれに対して通信することにより、少なくとも部分的に逆方向トレーニングを実行する、請求項９に記載のＵＥ。
【請求項１２】
前記一組のＰＲＡＣＨコードは、セクタの数をランダムアクセスコードの基数に掛けた数と等しい数のＰＲＡＣＨコードを含む、請求項１１に記載のＵＥ。
【請求項１３】
前記一組のＰＲＡＣＨコードの各ＰＲＡＣＨコードは、ベースＰＲＡＣＨコードおよびセクタ識別情報を含む、請求項１１に記載のＵＥ。
【請求項１４】
前記回路はさらに、
前記逆方向トレーニングに応答して、セル無線ネットワーク一時識別子（Ｃ−ＲＮＴＩ）およびタイミングアドバンス（ＴＡ）コマンドを前記ＵＥにおいて受信する、請求項１１に記載のＵＥ。
【請求項１５】
前記セル識別子を前記ｅＮＢへ送信する１または複数のアンテナをさらに備える、請求項１から請求項１４のいずれか１項に記載のＵＥ。
【請求項１６】
進化型ノードＢ（ｅＮＢ）およびミリメートル波対応スモールセル（ＭＣＳＣ）とともに動作するユーザ機器（ＵＥ）により実行される方法であって、
前記ＵＥにおいて、前記ｅＮＢから測定要求を受信する段階と、
前記ＵＥにおいて、第１の複数のセクタの各セクタ内でＭＣＳＣ同期信号を前記ＭＣＳＣから受信する段階と、
前記ＵＥにより、前記ＭＣＳＣに関連付けられたセル識別子および各セクタに関連付けられたセクタ識別子を決定する段階と、
前記測定要求に応答して一のセクタを選択する段階と、
前記セル識別子および選択された前記一のセクタに関連付けられた第１セクタ識別子を、前記ＵＥから前記ｅＮＢへ通信する段階と、
を有する方法。
【請求項１７】
前記測定要求に応答して前記一のセクタを選択する段階は、
前記測定要求に応答して、前記第１の複数のセクタの各セクタに対する信号品質を前記ＵＥにおいて測定する段階と、
前記第１の複数のセクタの各セクタに対する前記信号品質を分析して、第１のセクタの第１の信号品質に基づいて前記第１のセクタを選択する段階と、
を含む、請求項１６に記載の方法。
【請求項１８】
各セクタに対する前記信号品質は、前記第１の複数のセクタの各セクタに対する第１の前記同期信号の受信信号強度表示（ＲＳＳＩ）、基準信号受信電力（ＲＳＲＰ）、および基準信号受信品質（ＲＳＲＱ）値の関数である、請求項１７に記載の方法。
【請求項１９】
前記ｅＮＢへの前記セル識別子の通信に応答して、無線リソース制御（ＲＲＣ）接続再設定通信を、前記ＵＥにおいて前記ｅＮＢから受信する段階と、
物理ダウンリンク共有チャネル（ＰＤＳＣＨ）を介して、前記セル識別子、マスター情報ブロック（ＭＩＢ）、および一組の物理ランダムアクセスチャネル（ＰＲＡＣＨ）コードを、前記ＵＥにおいて前記ｅＮＢから受信する段階と、
第２の複数のセクタの各セクタに対して前記一組のＰＲＡＣＨコードのうちの一のＰＲＡＣＨコードを前記ＵＥから前記ｅＮＢへ通信することにより、少なくとも部分的に逆方向トレーニングを実行する段階と、
をさらに有し、
前記一のＰＲＡＣＨコードは、ベースＰＲＡＣＨコード、逆方向トレーニングに対するセクタ情報、およびビームフォーミングトレーニング肯定応答に対するｅＮＢセクタ情報を含む、請求項１７に記載の方法。
【請求項２０】
前記ＭＣＳＣ同期信号は、５９．９ＧＨｚと６０．１ＧＨｚの間の通信周波数を有する前記ＭＣＳＣからのミリメートル波通信の一部としてとして受信される、請求項１７から請求項１９のいずれか１項に記載の方法。
【請求項２１】
複数の命令を含むプログラムであって、前記複数の命令がプロセッサによって実行されると、ユーザ機器（ＵＥ）に対し、
進化型ノードＢ（ｅＮＢ）から測定要求を受信させ、
第２の複数のセクタ内でＭＣＳＣ同期信号をミリメートル波対応スモールセル（ＭＣＳＣ）から受信させ、
前記ＵＥにより、前記ＭＣＳＣに関連付けられたセル識別子および前記第２の複数のセクタの各セクタに関連付けられたセクタ識別子を決定させ、
前記測定要求に応答して、前記ＵＥにおいて、前記第２の複数のセクタの各セクタに対する信号品質を測定させ、
前記第２の複数のセクタの各セクタに対する前記信号品質を分析して、第１のセクタの第１の信号品質に基づいて前記第２の複数のセクタのうちから前記第１のセクタを選択させ、
セル識別子および前記第１のセクタに関連付けられた第１セクタ識別子を、前記ＵＥから進化型ユニバーサル地上波無線アクセスノードＢ（ｅＮＢ）へ通信させる、
プログラム。
【請求項２２】
前記複数の命令は、前記ＵＥに対してさらに、
第１の複数のセクタ内でＵＥ同期信号を送信させ、
前記ｅＮＢへの前記セル識別子の通信に応答して、無線リソース制御（ＲＲＣ）接続再設定通信を前記ｅＮＢから受信させ、
物理ダウンリンク共有チャネル（ＰＤＳＣＨ）を介して、前記セル識別子、マスター情報ブロック（ＭＩＢ）、一組の物理ランダムアクセスチャネル（ＰＲＡＣＨ）コードを前記ｅＮＢから受信させる、請求項２１に記載のプログラム。
【請求項２３】
前記複数の命令は、前記ＵＥに対してさらに、
前記ＭＣＳＣから前記ＭＣＳＣ同期信号の再送を周期的に受信させ、
前記ＵＥにより、前記ＭＣＳＣ同期信号のプライマリ同期信号（ＰＳＳ）を使用してタイミング取得を実行させ、
前記一組のＰＲＡＣＨコードのうちの一のＰＲＡＣＨコードを、前記ＵＥから前記ｅＮＢへ、前記第１の複数のセクタの各セクタ内で前記ＵＥ同期信号の送信の一部として通信することにより、少なくとも部分的に逆方向トレーニングを実行させ、
前記逆方向トレーニングに応答して、セル無線ネットワーク一時識別子（Ｃ−ＲＮＴＩ）およびタイミングアドバンス（ＴＡ）コマンドを受信させる、請求項２２に記載のプログラム。
【請求項２４】
請求項２１から請求項２３のいずれか１項に記載のプログラムを格納する、コンピュータ可読記録媒体。
【国際調査報告】
2016540422.tif 000014
2016540422.tif 000015